(57)【要約】【課題】与えられた旋律に対して少ない計算量のもとで正しい和音付けを行うことができるようにする。【解決手段】旋律の入力を受け付け、この旋律の中からアプローチノートを判定する。そして、共通和音領域内でこの判定されたアプローチノートを除く構成音に基づいて和音を生成し、旋律と統合して音楽データとして出力する。また、アプローチノートを判定する場合、まず、与えられた旋律の中から想定される仮のアプローチノートを判定し、この仮のアプローチノートに基づいて生成された和音候補群を生成する。そして、この仮の和音候補群が、あらかじめ記憶手段に記憶されている和音進行に適合しているか否かを判定し、和音進行に適合していないと判定された場合は、適合していない和音が割り当てられている共通和音領域のアプローチノートの解釈を修正し、再度和音の生成処理を行う。【選択図】  図６
2004302318.tif 000002
【特許請求の範囲】
【請求項１】
旋律の入力を受け付ける入力受付手段を有する情報端末と、この情報端末で入力された旋律に基づいて和音付けされた音楽データを生成する音楽データ生成装置と、を有する音楽データ生成システムにおいて、前記音楽データ生成装置が、
与えられた旋律の中から共通和音領域内のアプローチノートを判定するアプローチノート判定手段と、
この判定されたアプローチノートを除く構成音に基づいて共通和音領域内の和音を生成する和音生成手段と、
この生成された和音と前記旋律とを統合する統合手段と、
この統合された音楽データを出力する出力手段と、
を具備してなることを特徴とする音楽データ生成システム。
【請求項２】
入力された旋律に基づいて和音付けされた音楽データを生成する音楽データ生成装置において、
与えられた旋律の中から共通和音領域内のアプローチノートを判定するアプローチノート判定手段と、
この判定されたアプローチノートを除く構成音に基づいて共通和音領域内の和音を生成する和音生成手段と、
この生成された和音と前記旋律とを統合する統合手段と、
この統合された音楽データを出力する出力手段と、
を具備してなることを特徴とする音楽データ生成装置。
【請求項３】
前記アプローチノート判定手段が、与えられた旋律の中から仮のアプローチノートを判定して仮の和音候補を生成し、この仮の和音候補を含む和音進行が、あらかじめ記憶手段に記憶されている和音進行に適合していない場合に、その和音進行に適合していない共通和音領域における仮のアプローチノートの解釈を修正するものである請求項２に記載の音楽データ生成装置。
【請求項４】
和音生成手段が、前記アプローチノート判定手段によって判定されたアプローチノートを除いた構成音に基づき、共通和音領域内において複数の和音の候補を生成し、その中から旋律との整合度を考慮した和音を抽出するものである請求項３に記載の音楽データ生成装置。
【請求項５】
入力された旋律に基づいて和音付けされた音楽データを生成する音楽データ生成方法において、
与えられた旋律の中からアプローチノートを判定するステップと、
この判定されたアプローチノートを除く構成音に基づいて共通和音領域内で和音を生成するステップと、
この生成された和音と前記旋律とを統合するステップと、
この統合された音楽データを出力するステップと、
を具備してなることを特徴とする音楽データ生成方法。
【請求項６】
前記アプローチノートを判定するステップが、与えられた旋律の中から仮のアプローチノートを判定し、この仮のアプローチノートに基づいて和音候補を生成するステップと、この生成された仮の和音候補を含む和音進行が、あらかじめ記憶手段に記憶されている和音進行に適合しているか否かを判定するステップと、この判定結果に基づいて和音進行に適合していないと判定された場合、適合していない共通和音領域における仮のアプローチノートの解釈を修正するステップと、を有するものである請求項５に記載の音楽データ生成方法。
【請求項７】
和音を生成するステップが、アプローチノートの判定ステップによって判定されたアプローチノートを除いた構成音に基づき、共通和音領域内において複数の和音を生成し、その中から旋律との整合度を考慮した和音を抽出するものである請求項６に記載の音楽データ生成方法。
【発明の詳細な説明】
【０００１】
【発明の属する技術分野】
本発明は、和音付けされた音楽を生成するシステムに関し、より具体的には、入力された旋律のアプローチノートを考慮して音楽を生成するシステムに関するものである。
【０００２】
【従来の技術】
現在、ユーザの作曲活動を支援するものとして、例えば、シンガーソングライターなるソフトが市販されている。このソフトは、ポップス系の音楽を対象としたソフトで、パーソナルコンピュータなどを介して旋律の入力を受け付け、その構成音を解析することによって旋律に対応した和音を生成するようにしたものである。
【０００３】
【発明が解決しようとする課題】
ところが、このシンガーソングライターなるソフトには、音楽によく出現する経過音、倚音、刺繍音、係留音、先行音、逸音などのアプローチノートを識別する機能を具備していない。このため、与えられた旋律に対する和音付けが適合しないケースも生じる。通常、与えられた旋律に対する和音付けは、その旋律の中の各音が旋律本体のものでなく付加的な音のどれであるかによって和音付けの取扱いが異なってくる。従って、単純に与えられた音列から和音を生成するだけでは完全に旋律に適合した和音を生成することができない。
一方、アプローチノートを取り扱うようにした文献として、以下の特許文献１などが存在する。
【０００４】
【特許文献１】
特公平７−１１１６３６号公報
【０００５】
この公報に記載されたものは、和音設定音としてあげられた和音が設定可能であるかを判定する際、旋律内の音が和音構成音あるいはアプローチノートとして解釈可能であるかを考慮したものである。
【０００６】
しかし、この特公平７−１１１６３６号公報のものでは、設定可能な和音候補群を求める際に、まずアプローチノートと解釈できる音を和音候補群として設定する際の考慮の対象から外すという処理を施していないため、すべての構成音に対する和音候補を求めなければならず、膨大な数の和音候補群を生成しなければならない。さらに、アプローチノートの解釈には一般に多重解釈の問題がある。例えば、同一の音であっても、前後の和音設定を考慮するとアプローチノートの解釈が異なる場合などがある。これに関して、特公平７−１１１６３６号公報の手法では、前後の和音設定などを考慮せずにアプローチノートの判定を行っているために、アプローチノートの判定に間違いを生じてしまう可能性がある。このため、アプローチノートを十分、あるいは正しく利用することはできず、旋律に対する正しい和音付けを行うことができない。
【０００７】
そこで、本発明は上記課題に着目してなされたもので、与えられた旋律に対して少ない計算量のもとで正しい和音付けを行うことができるシステムなどを提供することを目的とするものである。
【０００８】
【課題を解決するための手段】
すなわち、本発明は上記課題を解決するために、旋律の入力を受け付け、この旋律の中から共通和音領域内のアプローチノートを判定する。そして、この判定されたアプローチノートを除いた構成音に基づいて和音を生成し、旋律と統合して音楽データとして視聴可能に出力できるようにしたものである。
【０００９】
このように構成すれば、まずアプローチノートを除いた構成音に基づいて和音を生成するので生成する和音量を少なくすることができ、また、旋律に対応した和音を生成するようにしたので、旋律に適合した音楽データを生成することができるようになる。
【００１０】
また、このようにアプローチノートを判定する場合、和音が共通する領域（例えば、１小節）内だけではアプローチノートを断定できない場合がある。この場合、まず、与えられた旋律の中から想定される仮のアプローチノートを判定し、この仮のアプローチノートに基づいて生成された和音候補を生成する。そして、この仮の和音候補を含む和音進行が、あらかじめ記憶手段に記憶されている和音進行に適合しているか否かを判定し、適合していないと判定された場合は、適合していない和音が割り当てられている共通和音領域のアプローチノートの解釈を修正する。
【００１１】
このように、共通和音領域内だけでは決定できないアプローチノートを前後の共通和音領域に基づいて決定するようにしたので、より確実にアプローチノートを決定することができ、旋律に適合した和音を生成することができるようになる。
【００１２】
さらに、このようにして和音を生成する場合、アプローチノートを除いた構成音に基づいて共通和音領域内で複数の和音を生成し、その中から旋律との整合度、すなわち、旋律からアプローチノートを除いた構成音と和音構成音との重複度、を考慮した和音を抽出するようにする。
【００１３】
このように構成すれば、共通和音領域内で複数の和音が生成しうる場合であっても、より旋律に適合しうる自然な音楽データを生成することができるようになる。
【００１４】
【発明の実施の形態】
以下、本発明の一実施の形態について図面を参照して説明する。本実施の形態における音楽データ生成システム１は、図１に示すように、携帯電話などで構成された複数の携帯情報端末２と、この携帯情報端末２にネットワーク４を介して接続された音楽データ生成装置３とを具備してなるもので、例えば、着信メロディやメロディメールなどを生成する場合、その携帯情報端末２で旋律の入力を受け付け、音楽データ生成装置３でその旋律からアプローチノートである経過音、倚音、刺繍音、係留音、先行音、逸音を判定して残る構成音から和音付けされた音楽データを生成するようにしたものである。以下、本実施の形態の具体的構成について詳細に説明する。
【００１５】
携帯情報端末２は、図２の左側のブロック図に示すように、旋律などの入力を受け付ける入力受付手段２０と、インターネットなどのネットワーク４を介して音楽データ生成装置３との間でデータの送受信を行う送信手段２１および受信手段２２と、音楽データ生成装置３から送信されてきた音楽データなどをはじめとする種々の情報を記憶する記憶手段２３と、音楽データを出力する出力手段２４とを具備してなる。また、携帯情報端末２はこれ以外にも携帯情報端末２の本来の機能を果たすための各機能を有し、例えば、通常の電話機として機能するための必要な構成などを有する。
【００１６】
入力受付手段２０は、携帯情報端末２に具備される操作キーおよび、旋律や音楽ジャンルなどの入力を受け付けるためのアプリケーションなどによって構成される。この入力受付手段２０によって旋律は、個別の音高情報や音価情報などとして受け付けられ、また、音楽ジャンルは、あらかじめ登録されているポップス、ジャズ、クラッシックなどの音楽ジャンルを選択可能にして受け付けられる。また、この入力受付手段２０では、最終的に生成された音楽データを他人にメロディメールとして送信する場合、その他人のメールアドレスなどの送信先情報なども受け付ける。
【００１７】
送信手段２１は、ネットワーク４を介して音楽データ生成装置３に所定のデータを送信するもので、例えば、入力受付手段２０を介して入力された旋律、音楽ジャンル、自己の携帯情報端末２のメールアドレスなどの送信先情報、自己の携帯情報端末２の機種情報などを送信する。また、受信手段２２は、音楽データ生成装置３から送信されてきた音楽データなどを受信する。
【００１８】
記憶手段２３は、携帯情報端末２を動作させるために必要となる情報を記憶するもので、図３に示すように、実行プログラム領域２３０、音楽データ記憶領域２３１、端末情報記憶領域２３２、作業領域２３３などを設けてこれらに対応した情報を記憶する。このうち実行プログラム領域２３０には、携帯情報端末２を動作させるための実行プログラムが記憶され、具体的には、図５に示すフローチャートに対応するプログラムが記憶される。また、音楽データ記憶領域２３１には、音楽データ生成装置３から受信した音楽データがその音楽データに対応した識別情報とともに記憶される。さらに、端末情報記憶領域２３２には、自端末のメールアドレスなどの識別情報や、自端末の機種情報などが記憶される。
【００１９】
出力手段２４は、ディスプレイなどの表示出力手段およびスピーカなどの音声出力手段を具備してなるもので、音楽データ生成装置３から送信されてきた音楽データを表示出力し、また、その音楽データを音声出力手段によって音楽データを視聴可能に出力する。この表示出力および音声出力は互いに同期をとりながら出力するプログラムを組み込み、例えば、旋律や和音の進行状況に合わせた表示形態の変更を行う。また、着信メロディとして使用する場合は、着信の検知に伴って、その音楽データが出力する。
【００２０】
一方、音楽データ生成装置３は、携帯情報端末２から送信されてきた旋律に基づき、和音付けされた音楽データを自動生成するもので、図４に示すような音楽理論知識・伴奏パターン・ファイル形式・プログラムなどを記憶する記憶手段３０、マイクロプロセッサ、および、その他のデバイスなどによって、図２の右側に示すような受信手段３１、旋法・調判定手段３２、アプローチノート判定手段３３、和音生成手段３４、伴奏データ生成手段３５、統合手段３６、メディアデータ生成手段３７、送信手段３８などを具備してなる。なお、記憶手段３０に記憶される情報については後述する。
【００２１】
受信手段３１は、ネットワーク４を介して携帯情報端末２から送信されてきたデータを受信するもので、旋律、音楽ジャンル、送信先情報や機種情報、音楽データをメロディメールとして送信する場合はその送信先情報などを受信し、これらのデータを一旦記憶手段３０に記憶する。
【００２２】
旋法・調判定手段３２は、入力された旋律に対してその旋法や調を判定するもので、具体的には次のような処理を行う。すなわち、調の決定に際しては、まず音名の出現順にそれを調内音として含む調を抽出し、以下、新しい音名が出現するたびに調の候補を絞り込んでいく。そして、最後の音まで処理して、候補の調が一つだけ残れば、旋法未定のままそれを調とする。但し、この段階では旋法が未定であるので、実施には長短の各旋法に対して調の可能性が一つずつ残ることになり、この状態で次のようにして旋法を決定する。すなわち、旋法の決定は、最後の音が主音になるようにして決める。つまり、旋律の最後の音が「移動ド」による「ド」であれば長調、「ラ」であれば短調と決定する。それ以外の場合は、各音名の出現頻度を見て、主音・属音・下属音の出現頻度が多くなるように主音を決める。そして、調を絞り込んだ結果、候補がなくなってしまった場合は、どれか一つの音名を外すことによって、調候補が残るかどうかを調べ、残ればそれを調とする。通常、その場合は短調で、除いた音は導音（主音の半音下）に対応する。それでも調候補が残らない場合は、音名の出現頻度を調べ、上述の旋法判定と同様の判定を調判定と組み合わせて行う。この場合、旋法と調は同時に確定する。旋律の最後の音が主和音中の音になっていることを確認し、整合がとれなければ、次候補以下を順次調べる。調を絞り込んだ結果、候補が残った場合は、音名の出現頻度を調べ、候補を絞った上で、上と同様にして旋法・調を決定する。
【００２３】
アプローチノート判定手段３３は、旋律および調が決定された旋律に対し、旋律の各構成音がアプローチノートに該当するか否かを判定する。このアプローチノート判定手段３３は、あらかじめ記憶手段３０にアプローチノートに関する音楽理論知識情報を記憶しておき、この情報に基づいて各構成音が共通和音領域内でアプローチノートに該当するか否かを判定する。具体的には、下記のような判定を行いうる音楽理論知識情報を記憶手段３０に記憶しておき、これに基づいてアプローチノートを判定する。なお、以下の音楽理論知識情報は、一部の音楽理論知識情報を示したものであり、これ以外にも複数の音楽理論知識情報を記憶している。
【００２４】
（１）経過音の判定
３音・５音連続する場合、移動ドを“ド”とした“ドレミ”と続く３音があれば、２番目の“レ”を経過音と確定する。
【００２５】
（２）刺繍音の判定
“ドレド”と続く３音がある場合は、２番目の“ド”を刺繍音と確定する。
【００２６】
（３）倚音の判定
強拍で２度音程の２音については（例えば、小節の一拍目から“レド”となる場合）“レ”は倚音と解釈される可能性があるとする。
【００２７】
（４）逸音の判定
跳躍進行の後に続く２度音程の２音（例えば、“ソドレ・・・”）、“ド”と“レ”のどちらかの音が逸音と解釈される可能性があるとする。
【００２８】
（５）係留音の判定
ある共通和音領域において、一つ前の共通和音領域から持続する音は前の共通和音領域における和音構成音である可能性があるため、当該共通和音領域においては、係留音と解釈される可能性があるとする。
【００２９】
（６）先行音の判定
ある共通和音領域において、次の共通和音領域へ持続する音は、次の共通和音領域における和音構成音である可能性があるため、当該共通和音領域においては、先行音と解釈される可能性があるとする。
【００３０】
なお、上記アプローチノートの判定において、倚音・逸音・係留音・先行音の判定については、すべて「可能性がある」と解釈しているが、これらの音がアプローチノートに該当するか否かの確定については、まず、アプローチノートか否かの判定を仮定した状態で、全音に対するアプローチノートの解釈の組み合わせを列挙する。そして、その中から任意の一パターンをランダムもしくは任意に選出し、その解釈を仮のアプローチノートと解釈して次に述べる和音生成手段３４で和音生成処理とともにアプローチノートを確定する。
【００３１】
和音生成手段３４は、上記仮のアプローチノートと解釈された構成音を除いた各旋律の構成音に基づいて和音候補群を複数列挙する。共通和音領域のデフォルトは一小節に設定されるが、ユーザはこれを任意に変更できるものとする。共通和音領域に対して設定可能な和音は、その領域に含まれる音の絶対的な長さを指標として用い、絶対時間の長い音を構成音とする和音名を列挙する。そして、この和音の生成に際しては、携帯情報端末２から送信されてきた音楽ジャンルに基づいて和音候補群が適しているか否かを判定する。
【００３２】
具体的には、ある和音設定区間において“ドレミファ”が存在している場合、アプローチノートの解釈については“ド”と“ミ”、あるいは“レ”と“ファ”のどちらをアプローチノートと解釈するかをその和音設定区間で決定することができない。このため、“ド”と“ミ”をアプローチノートであるというのを解釈（ａ）、“レ”と“ファ”をアプローチノートであるというのを解釈（ｂ）とし、まず、解釈（ａ）が妥当であるか否かを一つ手前の和音設定区間における和音候補に基づいて判定する。解釈（ａ）に基づくのなら、“レ”と“ファ”が和音構成音となり、“レ・ファ・ラ”を構成音とする２度マイナー（ハ長調だとＤｍ）が和音候補にあげられる。しかし、一つ手前の和音設定区間において、Ｖ７（ハ長調だとＧ７）が設定されている場合、Ｖ７からＤｍという進行が、ある音楽ジャンルで使用されない場合、Ｄｍは和音候補として相応しくない。すなわち、解釈（ａ）を採用したこと自体間違いであるとして、解釈（ｂ）を採用する。
【００３３】
そして、このようにして「可能性がある」と判定されていたアプローチノートを音楽ジャンルの和音進行を用いて確定し、次に、確定されたアプローチノートを用いて和音を生成する。この和音の生成については、先に使用した音楽ジャンル毎の和音進行は使用されず、独自に共通和音領域の旋律に対応した和音が生成される。ここで、和音の生成に際しては、共通和音領域内において複数の和音の生成が可能であるが、旋律と和音の各構成音との共通度合いを示す整合度を考慮して和音を生成する。
【００３４】
そして、共通和音領域間で許容される和音の中のどれか一つを選択する。選択の基準は２次マルコフモデルに基づく音楽データベースのジャンル別統計に従う。すなわち、各時点において前後の続き具合を考慮して確率的に最も高頻度で使用される部分的な和音進行を第一候補として選択するようにする。この使用頻度については、ユーザが入力した音楽ジャンルに基づくものとする。また、先に求めた整合度も和音進行決定において考慮するものとする。データベース中の出現頻度の順に次点以下の候補を存在する場合は３つ程度まで保持しておき、後でユーザから他の和音進行の可能性を要求された場合に備える。２次マルコフモデルを用いた理由は、音楽の進行はある時点を採るとほぼその前後の和音進行に依存すると考えられるからである。ただし、開始和音は原則として主和音とし、第一音が主和音以外の音であった場合、それは装飾音であったと判定する。２つ目の和音は１次マルコフモデルに基づいて決め、３つ目以降の和音は２次マルコフモデルで決める。旋律の最後の音に着ける最終和音は主和音、その前は属和音となるようにする。
【００３５】
伴奏データ生成手段３５では、このように選択された和音進行に対してドラム音などの伴奏データを抽出する。伴奏パターンは音楽ジャンルによってそれぞれの特徴があるため、各音楽ジャンルの特徴的なドラム音やリズムなどの伴奏パターンを記憶手段３０に保持しておき、その中から選択的に使用する。
【００３６】
統合手段３６は、このようにして抽出された和音や伴奏を旋律に統合して、全体として一つの音楽データにまとめる。そして、この音楽データを、送信元の携帯情報端末２で視聴可能にすべくメディアデータ生成手段３７に出力する。
【００３７】
メディアデータ生成手段３７は、送信元の携帯情報端末２がその音楽データを出力できるファイル形式に変換する。記憶手段３０には、携帯情報端末２毎に出力可能なファイル形式をそれぞれ記憶しておき、携帯情報端末２から送信されてきた機種情報を読み出して、その機種情報に対応したファイル形式にフォーマット変換する。
【００３８】
送信手段３８は、このように生成された音楽データを、ネットワーク４を介して送信元の携帯情報端末２に送信し、そこで視聴可能に出力させる。また、この音楽データを第三者の携帯情報端末２にメロディメールとして送信する場合は、送信先に関するメールアドレスにその音楽データを送信する。
【００３９】
次に、このように構成された音楽データ生成システム１における音楽データの生成フローについて図５、図６を用いて説明する。
【００４０】
まず、他人へメロディメールを送信する場合、図５の携帯情報端末２のフローに示すように、携帯情報端末２で所定のプログラムを起動して操作キーなどを用いた旋律や音楽ジャンルの入力を受け付け、また、そのメロディメール送信先のメールアドレスの入力を受け付ける（ステップＳ１）。そして、送信指示の入力がなされることを条件に（ステップＳ２）、旋律や音楽ジャンル、送信先のメールアドレスを送信し、また、この際、その携帯情報端末２のメールアドレスなどの送信先情報や機種情報なども読み出して一緒に送信する（ステップＳ３）。
【００４１】
音楽データ生成装置３がこれの情報を受信すると（ステップＴ１）、まず、この受信した旋律に基づいて旋法・調を決定する（ステップＴ２）。この旋法・調の決定は、まず音名の出現順にそれを調内音として含む調を抽出し、以下、新しい音名が出現するたびに調の候補を絞り込んでいく。そして、最後の音まで処理して、候補の調が一つだけ残れば、旋法未定のままそれを調とする。但し、この段階では旋法が未定であるので、実施には長短の各旋法に対して調の可能性が一つずつ残ることになるが、この状態で次のようにして旋法を決定する。すなわち、旋法の決定は、最後の音が主音になるようにして決める。つまり、旋律の最後の音が「移動ド」による「ド」であれば長調、「ラ」であれば短調と決定する。それ以外の場合は、各音名の出現頻度を見て、主音・属音・下属音の出現頻度が多くなるように主音を決める。そして、調を絞り込んだ結果、候補がなくなってしまった場合は、どれか一つの音名を外すことによって、調候補が残るかどうかを調べ、残ればそれを調とする。通常、その場合は短調で、除いた音は導音（主音の半音下）に対応するが、それでも調候補が残らない場合は、音名の出現頻度を調べ、上述の旋法判定と同様の判定を調判定と組み合わせて行う。この場合、旋法と調は同時に確定する。旋律の最後の音が主和音中の音になっていることを確認し、整合がとれなければ、次候補以下を順次調べる。調を絞り込んだ結果、候補が残った場合は、音名の出現頻度を調べ、候補を絞った上で、上と同様にして旋法・調を決定する。
【００４２】
そして、このように旋法・調が決定された旋律に対して、和音生成処理を行う（ステップＴ３）。この和音生成処理では、まず、図６に示すように、旋律のアプローチノート判定処理を行う（ステップＴ３０）。このアプローチノートの判定処理では、まず、確定されるアプローチノートと仮定されるアプローチノートに基づいて和音候補群を生成する（ステップＴ３１）。そして、この生成された和音候補群による和音進行が、選択された音楽ジャンルの和音進行に適合しているか否かを判定し（ステップＴ３２）、適合していないと判断された場合は、その共通和音領域の仮定されたアプローチノートを修正してすべての共通和音領域のアプローチノートを確定する（ステップＴ３３）。次に、このようにすべての共通和音領域のアプローチノートが確定すれば、旋律からアプローチノートを除き、残った構成音に基づいて和音を生成する（ステップＴ３４）。この和音の生成は音楽ジャンルの和音進行とは別に行われ、共通和音領域内において複数の和音が生成される場合は、旋律との整合度を付与する（ステップＴ３５）。そして、この整合度を用いて２次マルコフモデルに基づく音楽ジャンル別統計に従った和音を一つ選択する（ステップＴ３６）。
【００４３】
次に、この生成された和音などに付加される伴奏データを記憶手段３０から読み出す（ステップＴ４）。この伴奏データの抽出は、送信されてきた音楽ジャンルを把握し、この音楽ジャンルに対応する伴奏データを記憶手段３０から読み出して行う。
【００４４】
そして、これらの旋律、和音、演奏パターンデータを統合して音楽データを生成し（ステップＴ５）、この音楽データを、送信元の携帯情報端末２で視聴可能にすべく、その機種情報に対応したファイル形式のメディアデータにト変換する（ステップＴ６）。そして、この変換された音楽データをその音楽データに対応した識別情報とともに送信元の携帯情報端末２に送信確認し（ステップＴ７）、また、この送信結果である音楽データとその音楽データに対応した識別情報を記憶手段３０に記憶しておく（ステップＴ８）。
【００４５】
この音楽データを受信した携帯情報端末２では（ステップＳ４）、その音楽データの視聴のための出力を行い（ステップＳ５）、そして、旋律と和音とが適合してないとユーザが判断した場合、その旨の入力を許容して（ステップＳ６）音楽データ生成装置３に送信する（ステップＳ７）。この送信に際しては、先に付与された音楽データに対応する識別情報が送信される。
【００４６】
これに基づいて音楽データ生成装置３では、この識別情報に対応する音楽データが有する和音と異なる和音を有する音楽データを生成する（ステップＴ３〜Ｔ８）。そして、これらの視聴と修正処理を繰り返した後、ユーザが希望する音楽データが生成された場合、その音楽データをメロディメールとして第三者の携帯情報端末２などに送信する（ステップＴ９）。
【００４７】
このように上記実施の形態では、まず旋律の中からアプローチノートを判定し、このアプローチノートを除く構成音に基づいて和音を生成するようにしたので、少ない計算量で和音を生成することができ、また、より旋律に確実に適合した音楽データを生成することができるようになる。
【００４８】
また、この実施の形態では、アプローチノートであるか否かの断定ができない場合、まず、仮の形でアプローチノートを設定して和音候補群を生成し、この和音候補群が一般的な和音進行に適合していなければ、その適合していない共通和音領域のアプローチノート解釈の修正を行うようにしたので、アプローチノート判定の確実性を増すことができ、より旋律に適合した和音を生成することができるようになる。
【００４９】
さらに、このように修正処理されたアプローチノートに基づき、共通和音領域の和音を複数生成し、これに加えて、音楽ジャンルの特性を考慮した和音を生成するようにしたので、共通和音領域毎の和音設定（縦割りの和音設定）と、和音進行に基づく和音設定（横割りの和音設定）とを考慮した最適な音楽データを生成することができるようになる。
【００５０】
なお、本発明は上記実施の形態に限定されることなく、種々変更することができる。
【００５１】
例えば、上記実施の形態では、携帯情報端末２と音楽データ生成装置３を具備する音楽データ生成システム１を説明したが、これに限らず、単一の装置で旋律の入力および和音の生成などの処理を行うようにしても良い。この場合は、本発明における「システム」は単体の装置として解釈される。また、この場合の装置としては、携帯電話やパーソナルコンピュータなどに限らず、電子ピアノなどに適用することもできる。
【００５２】
また、上記実施の形態では、着信メロディやメロディメールなどを生成する場合について説明したが、これに限らず、鑑賞用の音楽データや作曲支援用の音楽データを生成するようにしても良い。
【００５３】
さらに、上記実施の形態では、和音を生成する場合、まず、旋法・調を判定するようにしたが、旋律を入力する場合、ユーザが事前に旋法や調を決定してから旋律を入力するようにしても良く、もしくは、デフォルトで旋法や調を決定しておき、この状態で旋律の入力を受け付けるようにしても良い。
【００５４】
加えて、和音を生成する場合、最終的に決定されたアプローチノートに基づいて複数の和音を生成し、２次マルコフモデルから音楽ジャンルに従った和音を生成するようにしたが、これに限らず、共通和音領域内で生成された複数の和音のうち、最も整合度の高い和音を抽出するようにしても良い。
【００５５】
【発明の効果】
本発明では、入力された旋律からアプローチノートを判定し、このアプローチノートを除いた構成音から和音を生成するようにしたので、少ない計算量で和音を生成することができ、また、旋律に適合した和音を生成することができるようになる。
【図面の簡単な説明】
【図１】本実施形態の音楽データ生成システムの概略図
【図２】同形態における音楽データ生成システムの機能ブロック図
【図３】携帯情報端末の記憶手段に記憶される情報を示すメモリマップ
【図４】音楽データ生成装置の記憶手段に記憶される情報を示すメモリマップ
【図５】同形態における音楽データ生成システムのフローチャート
【図６】図５における和音生成処理の詳細フローチャート
【符号の説明】
１・・・音楽データ生成システム
２・・・携帯情報端末
３・・・音楽データ生成装置
２０・・・入力受付手段
２４・・・出力手段
３３・・・アプローチノート判定手段
３４・・・和音生成手段
３６・・・統合手段
【図１】
2004302318.tif 000003
【図２】
2004302318.tif 000004
【図３】
2004302318.tif 000005
【図４】
2004302318.tif 000006
【図５】
2004302318.tif 000007
【図６】
2004302318.tif 000008